(57)【要約】      （修正有）【課題】係止状態が解除されにくい係止具を提供する。【解決手段】第１板部材１と、第１板部材１の一方の側縁に一方の側縁が蝶着された第２板部材２と、第２板部材２の前記一方の側縁に対峙する他方の側縁に一方の側縁が蝶着された第３板部材３とを有する板部材組立体４と、第１板部材１と第２板部材２との蝶着部に配設された第１バネ５と、第２板部材２と第３板部材３との蝶着部に配設された第２バネ６とを備え、第１バネ５と第２バネ６とは、板部材組立体４をジグザグに折り畳む外力に対して反力を発生させ、第１板部材１と第２板部材２と第３板部材３とに開口が形成されている。【選択図】図１
2008120428.tif 000002
【特許請求の範囲】
【請求項１】
第１板部材と、第１板部材の一方の側縁に一方の側縁が蝶着された第２板部材と、第２板部材の前記一方の側縁に対峙する他方の側縁に一方の側縁が蝶着された第３板部材とを有する板部材組立体と、第１板部材と第２板部材とに当接する第１バネと、第２板部材と第３板部材とに当接する第２バネとを備え、第１バネと第２バネとは、板部材組立体をジグザグに折り畳む外力に対して反力を発生させ、第１板部材と第２板部材と第３板部材とに開口が形成されていることを特徴とする係止具。
【請求項２】
第１バネは第１板部材と第２板部材との蝶着部に配設され、第２バネは第２板部材と第３板部材との蝶着部に配設されていることを特徴とするパレットサポートの請求項１に記載の係止具。
【請求項３】
第３板部材が物品載置部を有することを特徴とする請求項１又は２に記載の係止具。
【請求項４】
請求項１又は２に記載の係止具と、当該係止具の第３板部材に固定された棚受部とを備えることを特徴とするパレットサポートの棚支持具。
【請求項５】
棚受部は第３板部材の前記一方の側縁に対峙する他方の側縁に固定されていることを特徴とする請求項４に記載のパレットサポートの棚支持具。
【請求項６】
棚受部は第３板部材の前記一方の側縁と当該側縁に対峙する他方の側縁との間で延在する第３の側縁に固定されていることを特徴とする請求項４に記載のパレットサポートの棚支持具。
【請求項７】
請求項１又は２に記載の係止具と、当該係止具の第１板部材又は第３板部材に固定された支柱係止部と、第１板部材と第２板部材と第３板部材とに形成された開口に挿通されたロッド部材とを備えることを特徴とする高さ調節装置。
【発明の詳細な説明】
【技術分野】
【０００１】
本発明は、係止具並びに係止具を備えるパレットサポートの棚支持具および係止具を備える高さ調整装置に関するものである。
【背景技術】
【０００２】
第１板部材と、一端が第１板部材に揺動可能に係合する第２板部材と、第１板部材と第２板部材とに係合し、第２板部材を付勢するバネとを備え、第１板部材と第２板部材とに開口が形成された係止具が、特許文献１に開示されている。
上記係止具の第１板部材と第２板部材の開口にロッドを挿通すると、バネに付勢された第２板部材が揺動して、第２板部材の開口の縁部がロッドに噛合し、係止具はロッドに係止される。
【特許文献１】実開昭５５−１４９１００号公報
【発明の開示】
【発明が解決しようとする課題】
【０００３】
特許文献１の係止具には、第２板部材の他端にバネの付勢力に抗する方向の外力が加わると、第２板部材が係止を解除する方向に揺動して、係止具のロッドへの係止状態が容易に解除されるという問題がある。
本発明は上記問題に鑑みてなされたものであり、特許文献１の係止具に比べて係止状態が解除されにくい係止具を提供することを目的とする。
また本発明は、上記係止具を備える、利便性の高いパレットサポートの棚支持具および高さ調整装置を提供することを目的とする。
【課題を解決するための手段】
【０００４】
上記課題を解決するために、本発明においては、第１板部材と、第１板部材の一方の側縁に一方の側縁が蝶着された第２板部材と、第２板部材の前記一方の側縁に対峙する他方の側縁に一方の側縁が蝶着された第３板部材とを有する板部材組立体と、第１板部材と第２板部材とに当接する第１バネと、第２板部材と第３板部材とに当接する第２バネとを備え、第１バネと第２バネとは、板部材組立体をジグザグに折り畳む外力に対して反力を発生させ、第１板部材と第２板部材と第３板部材とに開口が形成されていることを特徴とする係止具を提供する。
本発明に係る係止具の板部材組立体の第１板部材と第３板部材とに外力を加え、第１バネと第２バネの付勢力に抗して板部材組立体を所定量ジグザグに折り畳み、第１板部材と第２板部材と第３板部材の開口にロッドを挿通する。板部材組立体に印加していた外力を解除すると、板部材組立体は第１バネと第２バネとにより復元方向に付勢され、前記開口の縁部がロッドに噛合する。この結果、係止具はロッドに係止される。
第１板部材の他方の側縁に板部材組立体をジグザグに折り畳む外力が加わった時は、第１板部材の開口の縁部とロッドとの噛合状態は解除されるが、第２板部材と第３板部材の開口の縁部とロッドとの噛合状態は維持される。第１板部材の一方の側縁と第２板部材の一方の側縁との蝶着部に板部材組立体をジグザグに折り畳む外力が加わった時は、第２板部材の開口の縁部とロッドとの噛合状態は解除されるが、第１板部材と第３板部材の開口の縁部とロッドとの噛合状態は維持される。第２板部材の他方の側縁と第３板部材の一方の側縁との蝶着部に板部材組立体をジグザグに折り畳む外力が加わった時は、第２板部材の開口の縁部とロッドとの噛合状態は解除されるが、第１板部材と第３板部材の開口の縁部とロッドとの噛合状態は維持される。第３板部材の他方の側縁に板部材組立体をジグザグに折り畳む外力が加わった時は、第３板部材の開口の縁部とロッドとの噛合状態は解除されるが、第１板部材と第２板部材の開口の縁部とロッドとの噛合状態は維持される。
従って、本発明に係る係止具をロッドに係止させると、第１板部材と第３板部材とに、板部材組立体をジグザグに折り畳む外力を加えない限り、係止状態は解除されない。従って、本発明に係る係止具は、特許文献１の係止具に比べて係止状態が解除されにくい。
【０００５】
本発明の好ましい態様においては、第１バネは第１板部材と第２板部材との蝶着部に配設され、第２バネは第２板部材と第３板部材との蝶着部に配設されている。
第１バネを第１板部材と第２板部材との蝶着部に配設し、第２バネを第２板部材と第３板部材との蝶着部に配設した係止具は、バネとロッドが干渉しないので使い勝手が良い。
【０００６】
本発明の好ましい態様においては、係止具の第３板部材が物品載置部を有している。
上記構成を有する係止具を複数用いて、棚受けを構成することができる。
【０００７】
本発明においては、上記係止具と、当該係止具の第３板部材に固定された棚受部とを備えることを特徴とするパレットサポートの棚支持具を提供する。
パレットサポートの４本の支柱に、棚受部を下にして本発明に係るパレットサポートの棚支持具を４個係止させると、４個の棚受部により、棚を支持可能な棚受が形成される。係止具の第１板部材と第３板部材とに板部材組立体をジグザグに折り畳む外力を加えると、棚支持具が支柱に係止した状態を解除できるので、棚支持具を支柱の任意の位置に係止させることができる。従って本発明に係るパレットサポートの棚支持具は利便性が高い。
フォークリフトを用いて棚受に載置しようとした棚が、何らかの原因で第１板部材の他方の側縁や、第１板部材の一方の側縁と第２板部材の一方の側縁との蝶着部や、第２板部材の他方の側縁と第３板部材の一方の側縁との蝶着部や、第３板部材の他方の側縁に衝突しても、パレットサポートの棚支持具がパレットサポートの支柱に係止した状態は解除されない。従って、本発明に係るパレットサポートの棚支持具は信頼性が高い。
【０００８】
本発明の好ましい態様においては、棚受部は第３板部材の前記一方の側縁に対峙する他方の側縁に固定されている。
本発明の好ましい態様においては、棚受部は第３板部材の前記一方の側縁と当該側縁に対峙する他方の側縁との間で延在する第３の側縁に固定されている。
棚受部は第３板部材の前記一方の側縁に対峙する他方の側縁に固定されても良く、或いは、第３板部材の前記一方の側縁と当該側縁に対峙する他方の側縁との間で延在する第３の側縁に固定されても良い。後者の場合、向かい合う一対の棚受部間の距離が前者に比べて長くなるので、棚受に載置する棚の寸法を、前者に比べて大きくすることができる。
【０００９】
本発明においては、上記係止具と、当該係止具の第１板部材又は第３板部材に固定された支柱係止部と、第１板部材と第２板部材と第３板部材とに形成された開口に挿通されたロッド部材とを備えることを特徴とする高さ調節装置を提供する。
脚立、梯子、椅子等の支柱に支柱係止部を係止させて、本発明に係る高さ調整装置を前記支柱に係止する。係止具の板部材組立体の第１板部材と第３板部材とに板部材組立体をジグザグに折り畳む外力を加えて、ロッドと係止具との係止状態を解除し、ロッドを長手方向に移動させて、係止具から延びるロッドの長さを調節し、ひいては脚立、梯子、椅子等の高さを調節する。本発明に係る高さ調節装置を用いて脚立、梯子、椅子等の高さを容易に調節することができる。従って、本発明に係る高さ調節装置は利便性が高い。
第１板部材の他方の側縁や、第１板部材の一方の側縁と第２板部材の一方の側縁との蝶着部や、第２板部材の他方の側縁と第３板部材の一方の側縁との蝶着部や、第３板部材の他方の側縁に異物が衝突しても、高さ調節装置の係止具がロッドに係止した状態は解除されない。従って、本発明に係る高さ調節装置は信頼性が高い。
【発明の効果】
【００１０】
本発明に係る係止具をロッドに係止させると、第１板部材と第３板部材とに、板部材組立体をジグザグに折り畳む外力を加えない限り、係止状態が解除されない。従って、本発明に係る係止具は、特許文献１の係止具に比べて係止状態が解除されにくい。
【発明を実施するための最良の形態】
【００１１】
本発明の実施例に係る係止具と、当該係止具を備えるパレットサポートの棚支持具とを説明する。
図１に示すように、係止具Ａは、矩形の第１板部材１と、第１板部材１の一方の側縁に一方の側縁が蝶着された矩形の第２板部材２と、第２板部材２の前記一方の側縁に対峙する他方の側縁に一方の側縁が蝶着された矩形の第３板部材３とを有する板部材組立体４と、第１板部材１と第２板部材２との蝶着部に配設された第１バネ５と、第２板部材２と第３板部材３との蝶着部に配設された第２バネ６とを備えている。第１バネ５と第２バネ６とは、板部材組立体４をジグザグに折り畳む外力に対して反力を発生させる。第１板部材１に開口１ａが形成され、第２板部材２に開口２ａが形成され、第３板部材３に開口３ａが形成されている。
開口１ａ、２ａ、３ａの形状は、後述するロッド１００が円形断面の場合には円形、長円形、楕円形が好ましいが、ロッド１００が正方形断面或いは長方形断面の場合には正方形や長方形が望ましい。ロッド１００の断面形状に応じて、開口１ａ、２ａ、３ａの形状を他の適当な形状としても良い。
【００１２】
図１に白抜矢印で示すように、板部材組立体４の第１板部材１と第３板部材３とに外力を加え、第１バネ５と第２バネ６の付勢力に抗して板部材組立体４を所定量ジグザグに折り畳み、開口１ａ、２ａ、３ａにロッド１００を挿通する。板部材組立体４に印加していた外力を解除すると、板部材組立体４は第１バネ５と第２バネ６とにより復元方向に付勢され、開口１ａ、２ａ、３ａの縁部がロッド１００に噛合する。この結果、係止具Ａはロッド１００に係止される。
【００１３】
図１に太線矢印で示すように、第１板部材１の他方の側縁に板部材組立体４をジグザグに折り畳む方向の力が加わった時は、第１板部材１は第１バネ５の付勢力に抗して板部材組立体４をジグザグに折り畳む方向へ揺動し、開口１ａの縁部とロッド１００との噛合は解除されが、第２板部材２と第３板部材３とは第２バネ６により復元方向に付勢されたままなので、開口２ａの縁部、開口３ａの縁部とロッド１００との噛合状態は維持され、係止具Ａがロッド１００に係止された状態は維持される。
【００１４】
図１に太線二重矢印で示すように、第１板部材１の一方の側縁と第２板部材２の一方の側縁との蝶着部に板部材組立体４をジグザグに折り畳む方向の力が加わった時は、第２板部材２は第２バネ６の付勢力に抗して板部材組立体４を折り畳む方向へ揺動し、開口２ａとロッド１００との噛合は解除されるが、第１板部材１と第３板部材３とは、第１バネ５と第３バネ６とにより復元方向へ付勢されたままなので、開口１ａの縁部、第３開口３ａの縁部とロッド１００との噛合状態は維持され、係止具Ａがロッド１００に係止された状態は維持される。
【００１５】
図１に太線三重矢印で示すように、第２板部材２の他方の側縁と第３板部材３の一方の側縁との蝶着部に板部材組立体４をジグザグに折り畳む方向の力が加わった時は、開口１ａの縁部、開口３ａの縁部とロッド１００との噛合状態が維持され、図１に太線四重矢印で示すように、第３板部材２の他方の側縁に板部材組立体４をジグザグに折り畳む方向の力が加わった時は、開口１ａの縁部、開口２ａの縁部とロッド１００との噛合状態が維持される。この結果、係止具Ａがロッド１００に係止された状態は維持される。
【００１６】
従って、係止具Ａをロッド１００に係止させると、図１に白抜矢印で示すように、第１板部材１と第３板部材３とに、板部材組立体４をジグザグに折り畳む外力を加えない限り、係止状態は解除されない。従って、係止具Ａは、特許文献１の係止具に比べて係止状態が解除されにくい。
第１バネ５を第１板部材１と第２板部材２との蝶着部に配設し、第２バネ６を第２板部材２と第３板部材３との蝶着部に配設した係止具Ａは、第１バネ５、第２バネ６がロッド１００に干渉しないので使い勝手が良い。
【００１７】
図２に、係止具Ａと、係止具Ａの第３板部材３の他方の側縁に固定された棚受部７とを備えるパレットサポートの棚支持具Ｂを示す。
図３に示すように、荷役用の四辺形パレット１１の四隅に４本の支柱１２が着脱可能に立設されている。長さ方向中央部で交差し且つ互いに連結された一対の梁１３の両端部が、支柱１２の上端に着脱可能に連結されている。パレット１１と、４本の支柱１２と一対の梁１３とにより、パレットサポート１４が形成されている。
【００１８】
図２、３に示すように、パレットサポート１４の４本の支柱１２に、棚受部７を下にしてパレットサポートの棚支持具Ｂを４個係止させると、４個の棚受部７により、図３に一点鎖線で示す棚２００を支持可能な棚受が形成される。係止具Ａの第１板部材１と第３板部材３とに、図１に白抜矢印で示すように、板部材組立体４をジグザグに折り畳む外力を加えると、棚支持具Ｂが支柱１２に係止した状態を解除できるので、棚支持具Ｂを支柱１２の任意の位置に係止させることができる。従ってパレットサポートの棚支持具Ｂは利便性が高い。
パレットサポートの棚支持具Ｂは、実開昭６２−２０３８２０号公報に開示されたパレットサポートの高さ位置固定の棚受け桟に比べて、支柱への係止高さが可変であるという利点を有し、特開２００５−０８８９９９号公報に開示されたパレットのボルト固定式棚受けに比べて、支柱への係止高さ変更作業が容易であるという利点を有している。
【００１９】
フォークリフトを用いて棚受に載置しようとした棚が、何らかの原因で、図１に太線矢印で示すように、第１板部材１の他方の側縁に上方から衝突し、或いは図１に太線二重矢印で示すように、第１板部材１の一方の側縁と第２板部材２の一方の側縁との蝶着部に上方から衝突しても、パレットサポートの棚支持具Ｂがパレットサポート１４の支柱１２に係止した状態は解除されない。従って、パレットサポートの棚支持具Ｂは信頼性が高い。
【００２０】
パレットサポートの棚支持具Ｂに代えて、図４に示すように、棚受部８を第３板部材３の前記一方の側縁と当該側縁に対峙する他方の側縁との間で延在する第３の側縁に固定し、パレットサポートの棚支持具Ｃを構成しても良い。
第３の側縁とロッド１００との間の距離は、前記一方の側縁、前記他方の側縁とロッド１００との間の距離よりも短くすることができるので、パレットサポートの棚支持具Ｃをパレットサポート１４の４本の支柱１２に係止させると、一対の棚受部８間の距離を、パレットサポートの棚支持具Ｂをパレットサポート１４の４本の支柱１２に係止させた場合の一対の棚受部７間の距離に比べて長くすることができる。この結果、棚受に載置する棚２００の寸法を、パレットサポートの棚支持具Ｂをパレットサポート１４の４本の支柱１２に係止させた場合に比べて大きくすることができる。
【００２１】
係止具Ａと、図１に一点鎖線で示すように、係止具Ａの第１板部材１の他方の側縁又は第３板部材３の他方の側縁に固定された支柱係止部２１と、開口１ａ、２ａ、３ａに挿通されたロッド１００とで高さ調節装置Ｃを構成することができる。
脚立、梯子、椅子等の支柱に支柱係止部２１を係止させて、高さ調整装置Ｃを前記支柱に係止する。図１に白抜矢印で示すように、係止具Ａの板部材組立体４の第１板部材１と第３板部材３とに板部材組立体４をジグザグに折り畳む外力を加えて、ロッド１００と係止具Ａとの係止状態を解除し、ロッド１００を長手方向に移動させて、係止具Ａから延びるロッド１００の長さを調整し、ひいては脚立、梯子、椅子等の高さを調節する。高さ調節装置Ｃを用いて脚立、梯子、椅子等の高さを容易に調節することができる。従って、高さ調節装置Ｃは利便性が高い。
図１に白抜矢印で示すように、第１板部材１と第３板部材３とに、板部材組立体４をジグザグに折り畳む外力を加えない限り、係止具Ａとロッド１００との係止状態は解除されない。従って、高さ調節装置は信頼性が高い。
【００２２】
第１板部材１と第２板部材２との蝶着部に第１バネ５を配設し、第２板部材２と第３板部材３との蝶着部に第２バネ６を配設するのに代えて、第１板部材１と第２板部材２との間に両者に当接する第１バネを配設し、第２板部材２と第３板部材３との間に両者に当接する第２バネを配設し、板部材組立体４をジグザグに折り畳む外力に対する反力を第１バネと第２バネとに発生させても良い。第１バネと第２バネとは、ロッド１００に外嵌合させても良く、ロッド１００に外嵌合させなくても良い。
【００２３】
係止具Ａと、棚受部７と同様の物品載置部とを備える係止具を、事務用等のラックの複数の支柱に係止させて、ラックの棚を任意の高さに位置決めすることができる。
【００２４】
パレットサポートの支柱１２や事務用等のラックの支柱に、凹凸を形成すれば、係止具Ａの第１〜第３板部材１〜３の開口縁部と前記支柱との噛合を強固にでき、また各支柱における係止具Ａの係止高さを容易に揃えることができる。
【産業上の利用可能性】
【００２５】
本発明に係る係止具は、パレットサポートの棚支持具、事務用等のラックの棚支持具、脚立、梯子、椅子等の高さ調節装置に広く利用可能である。
【図面の簡単な説明】
【００２６】
【図１】本発明の実施例に係る係止具の斜視図である。
【図２】本発明の実施例に係るパレットサポートの棚支持具の斜視図である。
【図３】本発明の実施例に係るパレットサポートの棚支持具の使用状況を示す斜視図である。
【図４】本発明の他の実施例に係るパレットサポートの棚支持具の斜視図である。
【符号の説明】
【００２７】
Ａ  係止具
Ｂ  パレットサポートの棚支持具
Ｃ  高さ調節装置
１  第１板部材
２  第２板部材
３  第３板部材
４  板部材組立体
５  第１バネ
６  第２バネ
７、８  棚受
１１  パレット
１２  支柱
１３  梁
１４  パレットサポート
２１  支柱係止部
【図１】
2008120428.tif 000003
【図２】
2008120428.tif 000004
【図３】
2008120428.tif 000005
【図４】
2008120428.tif 000006